(57)【要約】【課題】適切な位置に簡単な作業で外れにくい取り付け構造によってバネ５４を取り付けることを目的とする。【解決手段】光モジュール１０は、モジュール本体２０とスライダ４０の間に形成されたスペース４４に収容されて、スライダ４０のスライド方向に沿って、後端部２２から離れたスライダ４０を、後端部２２の方向に戻す力を加えるバネ５４を有する。スライダ４０を前端部２４の方向にスライドさせることで、凸部５０が、ロックタブ１８と対向してロックタブ１８を押し上げてロックタブ１８とロック部４８のロックを解除する。バネ５４を収容するスペース４４は、開口４６を有する。スペース４４に収容されたバネ５４の長さ方向に沿った開口４６の長さは、バネ５４の自然長よりも短い。【選択図】図４
2014092604.tif 000002
【特許請求の範囲】
【請求項１】
ケージへの着脱が可能な光モジュールであって、
前記ケージへの挿入側の後端部及び光ファイバを挿入するための光ポートが設けられた前端部を有するモジュール本体と、
前記後端部と前記前端部との間の方向にスライド移動できるように、前記モジュール本体の外側に取り付けられたスライダと、
前記モジュール本体と前記スライダの間に形成されたスペースに収容されて、前記スライダのスライド方向に沿って、前記後端部から離れた前記スライダを、前記後端部の方向に戻す力を加えるバネと、
を有し、
前記バネを収容する前記スペースは、開口を有し、
前記スペースに収容された前記バネの長さ方向に沿った前記開口の長さは、前記バネの自然長よりも短いことを特徴とする光モジュール。
【請求項２】
請求項１に記載された光モジュールであって、
前記モジュール本体は、前記スライダに隣接するように立ち上がる側壁を有し、
前記側壁は、前記スライダに対向する外面に凹部を有し、前記凹部に貫通して前記外面とは反対側の内面に開口する貫通穴を有し、
前記スペースは、前記凹部及び前記スライダの前記凹部と対向する面によって区画され、
前記スペースの前記開口は、前記側壁の前記内面に形成された前記貫通穴の開口であることを特徴とする光モジュール。
【請求項３】
請求項１に記載された光モジュールであって、
前記モジュール本体は、前記スライダに隣接するように立ち上がる側壁を有し、
前記側壁は、前記スライダに対向する外面と、前記外面とは反対側の内面と、前記外面と前記内面を上端で接続する上端面と、を有し、前記外面には、凹部及び前記凹部に連通して前記上端面を切り欠くように窪む切欠部が形成され、
前記スペースは、前記凹部及び前記スライダの前記凹部と対向する面によって区画され、
前記スペースの前記開口は、前記切欠部及び前記スライダの前記切欠部と対向する面によって区画されることを特徴とする光モジュール。
【請求項４】
請求項１に記載された光モジュールであって、
前記モジュール本体は、前記スライダに隣接するように立ち上がる側壁を有し、
前記側壁は、前記スライダに対向する面に凹部を有し、
前記スライダは、前記凹部に対向する貫通穴を有し、
前記スペースは、前記凹部及び前記凹部と対向する前記スライダの内面によって区画され、
前記スペースの前記開口は、前記スライダの前記内面とは反対側の外面に形成された前記貫通穴の開口であることを特徴とする光モジュール。
【請求項５】
請求項２から４のいずれか１項に記載された光モジュールであって、
前記スライダは、前記側壁の前記凹部と対向する窪みを有することを特徴とする光モジュール。
【請求項６】
請求項１から５のいずれか１項に記載された光モジュールであって、
前記スペースの前記開口を塞ぐシール部材をさらに有することを特徴とする光モジュール。
【請求項７】
請求項６に記載された光モジュールであって、
前記シール部材は、電磁波吸収部材であることを特徴とする光モジュール。
【請求項８】
請求項１から７のいずれか１項に記載された光モジュールであって、
前記スライダは、前記前端部の方向にスライド移動すると前記バネを圧縮することを特徴とする光モジュール。
【請求項９】
請求項１から８のいずれか１項に記載された光モジュールであって、
回転するように前記モジュール本体に取り付けられたベイルをさらに有し、
前記ベイルの回転に連動して、前記スライダがスライド移動することを特徴とする光モジュール。
【請求項１０】
請求項１から９にいずれか１項に記載された光モジュールであって、
前記ケージは、前記ケージの内側に突出するロックタブを有し、
前記モジュール本体は、前記ロックタブとのロック部を有し、前記ロック部は、前記光モジュールが前記ケージに装着されたときに、前記ロックタブよりも前記ケージの奥に配置されて前記ロックタブとロックし、前記光モジュールの抜け止めを図り、
前記スライダは、前記光モジュールが前記ケージに装着されたときに前記ロックタブよりも前記ケージの奥に位置するように外側に突出する凸部を有し、
前記スライダを前記前端部の方向にスライドさせることで、前記凸部が、前記ロックタブと対向して前記ロックタブを押し上げて前記ロックタブと前記ロック部のロックを解除する、
ことを特徴とする光モジュール。
【請求項１１】
請求項１から１０のいずれか１項に記載された光モジュールであって、
前記バネを収容するスペースが、前記光モジュールの厚さ方向の中央付近にあることを特徴とする光モジュール。
【請求項１２】
ケージへの挿入側の後端部及び光ファイバを挿入するための光ポートが設けられた前端部を有するモジュール本体を、蓋を外して用意する工程と、
前記蓋を外した前記モジュール本体の外側に、前記後端部と前記前端部との間の方向にスライド移動できるように、スライダを取り付ける工程と、
前記スライダのスライド方向に沿って前記後端部から離れた前記スライダを前記後端部の方向に戻す力を加えるためのバネを、前記モジュール本体と前記スライダの間に形成されたスペースに収容する工程と、
前記蓋を取り付ける工程と、
を含み、
前記バネを収容するための前記スペースは、開口を有し、
前記スペースに収容された前記バネの長さ方向に沿った前記開口の長さは、前記バネの自然長よりも短く、
前記バネを、自然長よりも短くなるように圧縮して、前記開口から前記スペースに入れることを特徴とする光モジュールの製造方法。
【請求項１３】
請求項１２に記載された光モジュールの製造方法であって、
前記モジュール本体は、前記スライダに隣接するように立ち上がる側壁を有し、
前記側壁は、前記スライダに対向する外面に凹部を有し、前記凹部に貫通して前記外面とは反対側の内面に開口する貫通穴を有し、
前記スペースは、前記凹部及び前記スライダの前記凹部と対向する面によって区画され、
前記スペースの前記開口は、前記側壁の前記内面に形成された前記貫通穴の開口であることを特徴とする光モジュールの製造方法。
【請求項１４】
請求項１２に記載された光モジュールの製造方法であって、
前記モジュール本体は、前記スライダに隣接するように立ち上がる側壁を有し、
前記側壁は、前記スライダに対向する外面と、前記外面とは反対側の内面と、前記外面と前記内面を上端で接続する上端面と、を有し、前記外面には、凹部及び前記凹部に連通して前記上端面を切り欠くように窪む切欠部が形成され、
前記スペースは、前記凹部及び前記スライダの前記凹部と対向する面によって区画され、
前記スペースの前記開口は、前記切欠部及び前記スライダの前記切欠部と対向する面によって区画されることを特徴とする光モジュールの製造方法。
【請求項１５】
請求項１２に記載された光モジュールの製造方法であって、
前記モジュール本体は、前記スライダに隣接するように立ち上がる側壁を有し、
前記側壁は、前記スライダに対向する面に凹部を有し、
前記スライダは、前記凹部に対向する貫通穴を有し、
前記スペースは、前記凹部及び前記凹部と対向する前記スライダの内面によって区画され、
前記スペースの前記開口は、前記スライダの前記内面とは反対側の外面に形成された前記貫通穴の開口であることを特徴とする光モジュールの製造方法。
【請求項１６】
請求項１２から１５のいずれか１項に記載された光モジュールの製造方法であって、
前記バネを収容するスペースが、前記光モジュールの厚さ方向の中央付近にあることを特徴とする光モジュールの製造方法。
【発明の詳細な説明】
【技術分野】
【０００１】
本発明は、光モジュール及びその製造方法に関する。
【背景技術】
【０００２】
光ファイバ通信に用いられる光モジュールとして、破損や性能劣化などに伴う交換を容易にするため、脱着可能なプラガブル構造を有するものが知られている（特許文献１及び２参照）。光モジュールは、電子回路を有する回路基板に搭載されたケージに脱着できるようになっている。
【先行技術文献】
【特許文献】
【０００３】
【特許文献１】米国特許第６９０８３２３号明細書
【特許文献２】国際公開第ＷＯ０３／０７７３７５号パンフレット
【発明の概要】
【発明が解決しようとする課題】
【０００４】
従来の光モジュールは、ケージに形成されたツメに引っ掛かる係合部を有しており、ケージからの抜け止めを図るようになっていた。抜け止めの解除は、光モジュールのスライダによって行うようになっている。スライダは、ベイル（取っ手）を回転させることで直線移動するようになっており、ベイルを回転させることでスライダが直線移動し、これによりツメを押し上げてロックを解除する。逆に言うと、ツメを押し上げる位置（ロック解除位置）にスライダを配置したままでは、ツメが係合部に引っ掛からず、光モジュールの抜け止めを図ることができない。そこで、バネによってスライダを戻すようになっていた。
【０００５】
特許文献１には、バネを溝に収容することが開示されているが、浅い溝では、スライダの上端部にバネを配置することになるため、スライダに対して斜めに弾性力が加えられて、スライダの動きが悪くなる。また、溝に入れたバネは外れやすい。
【０００６】
特許文献２には、スライダの内面に窪みを形成してバネを配置することが開示されているが、バネの組み込み作業が難しく、スライダの抜け止め構造の詳細が不明である。
【０００７】
本発明は、適切な位置に簡単な作業で外れにくい取り付け構造によってバネを取り付けることを目的とする。
【課題を解決するための手段】
【０００８】
（１）本発明に係る光モジュールは、ケージへの着脱が可能な光モジュールであって、前記ケージへの挿入側の後端部及び光ファイバを挿入するための光ポートが設けられた前端部を有するモジュール本体と、前記後端部と前記前端部との間の方向にスライド移動できるように、前記モジュール本体の外側に取り付けられたスライダと、前記モジュール本体と前記スライダの間に形成されたスペースに収容されて、前記スライダのスライド方向に沿って、前記後端部から離れた前記スライダを、前記後端部の方向に戻す力を加えるバネと、を有し、前記バネを収容する前記スペースは、開口を有し、前記スペースに収容された前記バネの長さ方向に沿った前記開口の長さは、前記バネの自然長よりも短いことを特徴とする。本発明によれば、バネは、開口から入れるだけで簡単に取り付けることができ、スペースの形成位置は任意に設計することができる。バネは、縮めて開口から入れるので、スペース内では伸びて開口から外れにくくなっている。
【０００９】
（２）（１）に記載された光モジュールであって、前記モジュール本体は、前記スライダに隣接するように立ち上がる側壁を有し、前記側壁は、前記スライダに対向する外面に凹部を有し、前記凹部に貫通して前記外面とは反対側の内面に開口する貫通穴を有し、前記スペースは、前記凹部及び前記スライダの前記凹部と対向する面によって区画され、前記スペースの前記開口は、前記側壁の前記内面に形成された前記貫通穴の開口であることを特徴としてもよい。
【００１０】
（３）（１）に記載された光モジュールであって、前記モジュール本体は、前記スライダに隣接するように立ち上がる側壁を有し、前記側壁は、前記スライダに対向する外面と、前記外面とは反対側の内面と、前記外面と前記内面を上端で接続する上端面と、を有し、前記外面には、凹部及び前記凹部に連通して前記上端面を切り欠くように窪む切欠部が形成され、前記スペースは、前記凹部及び前記スライダの前記凹部と対向する面によって区画され、前記スペースの前記開口は、前記切欠部及び前記スライダの前記切欠部と対向する面によって区画されることを特徴としてもよい。
【００１１】
（４）（１）に記載された光モジュールであって、前記モジュール本体は、前記スライダに隣接するように立ち上がる側壁を有し、前記側壁は、前記スライダに対向する面に凹部を有し、前記スライダは、前記凹部に対向する貫通穴を有し、前記スペースは、前記凹部及び前記凹部と対向する前記スライダの内面によって区画され、前記スペースの前記開口は、前記スライダの前記内面とは反対側の外面に形成された前記貫通穴の開口であることを特徴としてもよい。
【００１２】
（５）（２）から（４）のいずれか１項に記載された光モジュールであって、前記スライダは、前記側壁の前記凹部と対向する窪みを有することを特徴としてもよい。
【００１３】
（６）（１）から（５）のいずれか１項に記載された光モジュールであって、前記スペースの前記開口を塞ぐシール部材をさらに有することを特徴としてもよい。
【００１４】
（７）（６）に記載された光モジュールであって、前記シール部材は、電磁波吸収部材であることを特徴としてもよい。
【００１５】
（８）（１）から（７）のいずれか１項に記載された光モジュールであって、前記スライダは、前記前端部の方向にスライド移動すると前記バネを圧縮することを特徴としてもよい。
【００１６】
（９）（１）から（８）のいずれか１項に記載された光モジュールであって、回転するように前記モジュール本体に取り付けられたベイルをさらに有し、前記ベイルの回転に連動して、前記スライダがスライド移動することを特徴としてもよい。
【００１７】
（１０）（１）から（９）にいずれか１項に記載された光モジュールであって、前記ケージは、前記ケージの内側に突出するロックタブを有し、前記モジュール本体は、前記ロックタブとのロック部を有し、前記ロック部は、前記光モジュールが前記ケージに装着されたときに、前記ロックタブよりも前記ケージの奥に配置されて前記ロックタブとロックし、前記光モジュールの抜け止めを図り、前記スライダは、前記光モジュールが前記ケージに装着されたときに前記ロックタブよりも前記ケージの奥に位置するように外側に突出する凸部を有し、前記スライダを前記前端部の方向にスライドさせることで、前記凸部が、前記ロックタブと対向して前記ロックタブを押し上げて前記ロックタブと前記ロック部のロックを解除する、ことを特徴としてもよい。
【００１８】
（１１）（１）から（１０）のいずれか１項に記載された光モジュールであって、前記バネを収容するスペースが、前記光モジュールの厚さ方向の中央付近にあることを特徴としてもよい。
【００１９】
（１２）本発明に係る光モジュールの製造方法は、ケージへの挿入側の後端部及び光ファイバを挿入するための光ポートが設けられた前端部を有するモジュール本体を、蓋を外して用意する工程と、前記蓋を外した前記モジュール本体の外側に、前記後端部と前記前端部との間の方向にスライド移動できるように、スライダを取り付ける工程と、前記スライダのスライド方向に沿って前記後端部から離れた前記スライダを前記後端部の方向に戻す力を加えるためのバネを、前記モジュール本体と前記スライダの間に形成されたスペースに収容する工程と、前記蓋を取り付ける工程と、を含み、前記バネを収容するための前記スペースは、開口を有し、前記スペースに収容された前記バネの長さ方向に沿った前記開口の長さは、前記バネの自然長よりも短く、前記バネを、自然長よりも短くなるように圧縮して、前記開口から前記スペースに入れることを特徴とする。本発明によれば、バネは、開口から入れるだけで簡単に取り付けることができ、スペースの形成位置は任意に設計することができる。また、バネは、縮めて開口から入れるので、スペース内では伸びて開口から外れにくくなっている。
【００２０】
（１３）（１２）に記載された光モジュールの製造方法であって、前記モジュール本体は、前記スライダに隣接するように立ち上がる側壁を有し、前記側壁は、前記スライダに対向する外面に凹部を有し、前記凹部に貫通して前記外面とは反対側の内面に開口する貫通穴を有し、前記スペースは、前記凹部及び前記スライダの前記凹部と対向する面によって区画され、前記スペースの前記開口は、前記側壁の前記内面に形成された前記貫通穴の開口であることを特徴としてもよい。
【００２１】
（１４）（１２）に記載された光モジュールの製造方法であって、前記モジュール本体は、前記スライダに隣接するように立ち上がる側壁を有し、前記側壁は、前記スライダに対向する外面と、前記外面とは反対側の内面と、前記外面と前記内面を上端で接続する上端面と、を有し、前記外面には、凹部及び前記凹部に連通して前記上端面を切り欠くように窪む切欠部が形成され、前記スペースは、前記凹部及び前記スライダの前記凹部と対向する面によって区画され、前記スペースの前記開口は、前記切欠部及び前記スライダの前記切欠部と対向する面によって区画されることを特徴としてもよい。
【００２２】
（１５）（１２）に記載された光モジュールの製造方法であって、前記モジュール本体は、前記スライダに隣接するように立ち上がる側壁を有し、前記側壁は、前記スライダに対向する面に凹部を有し、前記スライダは、前記凹部に対向する貫通穴を有し、前記スペースは、前記凹部及び前記凹部と対向する前記スライダの内面によって区画され、前記スペースの前記開口は、前記スライダの前記内面とは反対側の外面に形成された前記貫通穴の開口であることを特徴としてもよい。
【００２３】
（１６）（１２）から（１５）のいずれか１項に記載された光モジュールの製造方法であって、前記バネを収容するスペースが、前記光モジュールの厚さ方向の中央付近にあってもよい。
【図面の簡単な説明】
【００２４】
【図１】本発明の第１の実施形態に係る光モジュールの使用方法を説明する図である。
【図２】図１に示す光モジュールの分解斜視図である。
【図３】蓋を外してモジュール本体の内部を示す斜視図である。
【図４】図１に示す光モジュールのIV−IV線断面図である。
【図５】図５は、図１に示す光モジュールのＶ−Ｖ線断面図である。
【図６】図１に示す光モジュールのVI−VI線断面図である。
【図７】スライダをモジュール本体の前端部の方向にスライド移動させた状態を示す斜視図である。
【図８】図７に示すモジュール本体のVIII−VIII線断面図である。
【図９】スペースの開口を塞ぐシールを示す図である。
【図１０】バネの取り付け工程を説明するための図である。
【図１１】本発明の第２の実施形態に係る光モジュールの一部を示す斜視図である。
【図１２】図１１に示す光モジュールの一部のXII−XII線断面図である。
【図１３】図１１に示す光モジュールの一部のXIII−XIII線断面図である。
【図１４】本発明の第３の実施形態に係る光モジュールの一部を示す斜視図である。
【図１５】図１４に示す光モジュールの一部のXV−XV線断面図である。
【図１６】図１５に示す光モジュールの一部のXVI−XVI線断面図である。
【発明を実施するための形態】
【００２５】
以下、本発明の実施形態について図面を参照して説明する。
【００２６】
［第１の実施形態］
図１は、本発明の第１の実施形態に係る光モジュールの使用方法を説明する図である。
【００２７】
光モジュール１０は、ケージ１２への脱着が可能になっている。ケージ１２は、回路基板１４に搭載されており、光モジュール１０をコネクタ１６にガイドするようになっている。ケージ１２は、光モジュール１０を挿入する空間側（ケージ１２の内側）に突出するロックタブ１８を有している。
【００２８】
図２は、図１に示す光モジュール１０の分解斜視図である。光モジュール１０は、モジュール本体２０を有する。モジュール本体２０の後端部２２は、図１に示すケージ１２に挿入される前方の部分である。モジュール本体２０の前端部２４には、図１に示すように、図示しない光ファイバを挿入するための光ポート２６が設けられている。モジュール本体２０は、図２に示すように、蓋２８を取り外して内部に図示しない電気部品を取り付けられるようになっている。
【００２９】
図３は、蓋２８を外してモジュール本体２０の内部を示す斜視図である。図４は、図１に示す光モジュール１０のIV−IV線断面図である。図５は、図１に示す光モジュール１０のＶ−Ｖ線断面図である。
【００３０】
モジュール本体２０は、図３に示すように、底壁３０から立ち上がる側壁３２を有する。側壁３２は、図４に示すように、外面３４に凹部３６を有する。側壁３２は、図３及び図４に示すように、凹部３６に貫通して外面３４とは反対側の内面６０に開口する貫通穴３８を有する。
【００３１】
図６は、図１に示す光モジュール１０のVI−VI線断面図である。光モジュール１０は、スライダ４０を有する。スライダ４０は、図４に示すように、側壁３２の外面３４に対向する。スライダ４０は、側壁３２に隣接するように、モジュール本体２０の外側に取り付けられている。スライダ４０は、図５及び図６に示すように、側壁３２の凹部３６と対向する窪み４２を有する。側壁３２の凹部３６及びスライダ４０の凹部３６と対向する面（窪み４２を含む）によって、スペース４４が区画される。スペース４４は、光モジュール１０の厚さ方向の中央付近にある。あるいは、スペース４４は、スライダ４０のスライド移動する方向（図６で紙面の表裏方向）に直交し、かつ、スライダ４０と側壁３２との間の方向（図６で左右方向）にも直交する方向（つまり図６の上下方向）で、スライダ４０の中央に対向して位置する。スペース４４の開口４６は、側壁３２の内面６０に形成された貫通穴３８の開口である（図３及び図４参照）。スライダ４０は、モジュール本体２０の後端部２２と前端部２４との間の方向にスライド移動できるようになっている（図１及び図７）。
【００３２】
モジュール本体２０は、図１に示すように、ロックタブ１８とのロック部４８を有する。ロック部４８は、光モジュール１０の抜け止めを図るためのものである。詳しくは、光モジュール１０がケージ１２に装着されたときに、ロック部４８は、ロックタブ１８よりもケージ１２の奥に配置されてロックタブ１８とロックする。スライダ４０は、外側に突出する凸部５０を有する。光モジュール１０がケージ１２に装着されたときに、凸部５０は、ロックタブ１８よりもケージ１２の奥に位置する。
【００３３】
図７は、スライダ４０をモジュール本体２０の前端部２４の方向にスライド移動させた状態を示す斜視図である。スライダ４０を前端部２４の方向にスライドさせることで、凸部５０は、図１に示すロックタブ１８と対向してロックタブ１８を押し上げてロックタブ１８とロック部４８のロックを解除する。なお、光モジュール１０は、回転するようにモジュール本体２０に取り付けられたベイル５２を有する。リンク機構などによってベイル５２の回転に連動して、スライダ４０がスライド移動するようになっている。その詳細は周知であるため、説明を省略する。
【００３４】
光モジュール１０は、図４〜図６に示すように、バネ５４を有する。バネ５４は、スライダ４０のスライド方向に沿って、図７に示すように後端部２２から離れたスライダ４０を、後端部２２の方向に戻す力を加える。
【００３５】
図８は、図７に示すモジュール本体２０のVIII−VIII線断面図である。スライダ４０は、図７に示すように前端部２４の方向にスライド移動すると、図８に示すようにバネ５４を圧縮する。バネ５４は、モジュール本体２０とスライダ４０の間に形成されたスペース４４に収容されている。スペーサ４４が光モジュール１０の中央付近にあることで、スライダ４０の動きが良くなっている。スペーサは、スペース４４内に突出する突起５６を有し、スペース４４の、モジュール本体２０の前端部２４の側に位置する内面（図８でバネ５４の上側が接する面）と突起５６との間にバネ５４が配置されている。バネ５４を収容するスペース４４は、開口４６を有する。スペース４４に収容されたバネ５４の長さ方向に沿った開口４６の長さは、バネ５４の自然長よりも短い（図４参照）。
【００３６】
本実施形態によれば、バネ５４は、開口４６から入れるだけで簡単に取り付けることができ、スペース４４の形成位置は任意に設計することができる。バネ５４は、縮めて開口４６から入れるので、スペース４４内では伸びて開口４６から外れにくくなっている。
【００３７】
図９は、スペース４４の開口４６を塞ぐシール５８を示す図である。本実施例の構造上、開口４６よりバネ５４が飛び出ることはないが、開口４６が空いている場合に、スペース４４に異物が入り込むことでバネ５４の動作を妨げてしまう恐れがある。本実施例のようにバネ５４を挿入後、開口４６をシール５８で塞ぐことで異物が入り込むことを防止することが出来る。さらに、シール５８を電波吸収部材としても良い。電磁波吸収部材は、電磁波を電磁波以外のエネルギー（例えば熱）に変換することで電磁波を吸収する。電磁波吸収部材は、たとえば、樹脂、ゴム又は繊維に、フェライト粉末などの誘電体、あるいは、カーボン粉末などの磁性体、などの、電磁波損失材料を分散、あるいは、被着させたものであってもよい。シール５８を電磁波吸収部材とすることで、光モジュール１０内で発生した不要な電磁波が、開口４６を通って光モジュール１０の外部に漏れ出すことを防止することができる。
【００３８】
光モジュール１０の製造方法では、図２に示すように、ケージ１２への挿入側の後端部２２及び光ファイバを挿入するための光ポート２６が設けられた前端部２４を有するモジュール本体２０を、蓋２８を外して用意する。蓋２８を外したモジュール本体２０の外側に、後端部２２と前端部２４との間の方向にスライド移動できるように、スライダ４０を取り付ける。
【００３９】
図１０は、バネ５４の取り付け工程を説明するための図である。バネ５４は、モジュール本体２０とスライダ４０の間に形成されたスペース４４に収容する（図４参照）。バネ５４を収容するためのスペース４４は、開口４６を有する。その開口４６の長さは、図４を参照して分かるように、バネ５４の自然長よりも短い。そこで、図１０に示すように、バネ５４を、自然長よりも短くなるように圧縮して、開口４６からスペース４４に入れる。そして、図２に示すように、蓋２８を取り付ける。
【００４０】
［第２の実施形態］
図１１は、本発明の第２の実施形態に係る光モジュールの一部を示す斜視図である。図１２は、図１１に示す光モジュールの一部のXII−XII線断面図である。図１３は、図１１に示す光モジュールの一部のXIII−XIII線断面図である。
【００４１】
本実施形態では、モジュール本体１２０は、スライダ１４０に隣接するように立ち上がる側壁１３２を有する。側壁１３２は、スライダ１４０に対向する外面１３４を有する。側壁１３２は、外面１３４とは反対側の内面１６０を有する。側壁１３２は、外面１３４と内面１６０を上端で接続する上端面１６２を有する。外面１３４には、凹部１３６が形成され、さらに凹部１３６に連通して上端面１６２を切り欠くように窪む切欠部１６４が形成されている。スペース１４４は、凹部１３６及びスライダ１４０の面（凹部１３６と対向する面）によって区画されている。スペース１４４の開口１４６は、切欠部１６４及びスライダ１４０の切欠部１６４と対向する面によって区画される。本実施形態のその他の構成は、上記第１の実施形態で説明した内容が該当する。
【００４２】
［第３の実施形態］
図１４は、本発明の第３の実施形態に係る光モジュールの一部を示す斜視図である。図１５は、図１４に示す光モジュールの一部のXV−XV線断面図である。図１６は、図１５に示す光モジュールの一部のXVI−XVI線断面図である。
【００４３】
モジュール本体２２０は、スライダ２４０に隣接するように立ち上がる側壁２３２を有する。側壁２３２は、スライダ２４０に対向する面に凹部２３６を有する。スライダ２４０は、凹部２３６に対向する貫通穴２３８を有する。スペース２４４は、凹部２３６及び凹部２３６と対向するスライダ２４０の内面２６０によって区画されている。スペース２４４の開口２４６は、スライダ２４０の内面２６０とは反対側の外面２３４に形成された貫通穴２３８の開口である。本実施形態のその他の構成は、上記第１の実施形態で説明した内容が該当する。
【００４４】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４５】
１０  光モジュール、１２  ケージ、１４  回路基板、１６  コネクタ、１８  ロックタブ、２０  モジュール本体、２２  後端部、２４  前端部、２６  光ポート、２８  蓋、３０  底壁、３２  側壁、３４  外面、３６  凹部、３８  貫通穴、４０  スライダ、４２  窪み、４４  スペース、４６  開口、４８  ロック部、５０  凸部、５２  ベイル、５４  バネ、５６  突起、５８  シール、６０  内面、１２０  モジュール本体、１３２  側壁、１３４  外面、１３６  凹部、１４０  スライダ、１４４  スペース、１４６  開口、１６０  内面、１６２  上端面、１６４  切欠部、２２０  モジュール本体、２３２  側壁、２３４  外面、２３６  凹部、２３８  貫通穴、２４０  スライダ、２４４  スペース、２４６  開口、２６０  内面。
【図１】
2014092604.tif 000003
【図２】
2014092604.tif 000004
【図３】
2014092604.tif 000005
【図４】
2014092604.tif 000006
【図５】
2014092604.tif 000007
【図６】
2014092604.tif 000008
【図７】
2014092604.tif 000009
【図８】
2014092604.tif 000010
【図９】
2014092604.tif 000011
【図１０】
2014092604.tif 000012
【図１１】
2014092604.tif 000013
【図１２】
2014092604.tif 000014
【図１３】
2014092604.tif 000015
【図１４】
2014092604.tif 000016
【図１５】
2014092604.tif 000017
【図１６】
2014092604.tif 000018